【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
ユーザによる第１接続情報の入力のための操作を受け付けることなく、且つ通信装置から前記第１接続情報を取得することなしに前記第１接続情報を保持し、通信装置と通信可能な端末装置のコンピュータに、前記第１接続情報によって、前記端末装置と前記通信装置とを接続させる第１接続ステップと、
前記端末装置と前記通信装置との前記第１接続情報による接続を介して、前記第１接続情報と異なる第２接続情報を前記通信装置から取得する取得ステップと、
前記通信装置が、前記端末装置から送信される前記第２接続情報による接続が可能な状態の場合、前記取得された前記第２接続情報によって、前記端末装置と前記通信装置とを接続させる第２接続ステップと、
前記端末装置と前記通信装置との前記第２接続情報による接続を介して、画像データを前記通信装置と通信する通信ステップと、を実行させ、
前記第１接続情報は、前記ユーザが任意に変更できない情報を少なくとも含み、
前記第１接続情報による接続を介して取得される前記第２接続情報は、前記端末装置と前記通信装置との間の１度の接続にしか用いることができない情報であることを特徴とするプログラム。
【請求項２】
新たに取得される前記第２接続情報は、前記第１接続情報による接続を介して前記通信装置から前回取得した前記第２接続情報と異なる内容の情報であることを特徴とする請求項１に記載のプログラム。
【請求項３】
前記第２接続情報は、前記通信装置によってランダムに生成される情報であることを特徴とする請求項１又は請求項２に記載のプログラム。
【請求項４】
前記第２接続情報は、前記通信装置によって、時刻同期方式に基づいてランダムに生成される情報であることを特徴とする請求項１乃至請求項３のいずれか１項に記載のプログラム。
【請求項５】
前記第１接続情報は、前記端末装置の初期起動前から、前記端末装置に保持されていることを特徴とする請求項１乃至４のいずれか１項に記載のプログラム。
【請求項６】
前記第１接続情報は、前記プログラムが前記端末装置にインストールされた場合に、前記端末装置に保持されることを特徴とする請求項１乃至５のいずれか１項に記載のプログラム。
【請求項７】
前記第１接続情報及び前記第２接続情報は、ＳＳＩＤとパスワードのうち少なくとも１つを含むことを特徴とする請求項１乃至請求項６のいずれか１項に記載のプログラム。
【請求項８】
前記端末装置が前記通信装置と前記第１接続情報によって接続する前の前記端末装置の接続状態に関する情報をメモリに記憶させる記憶制御ステップと、前記画像データを前記通信装置と通信した場合、前記記憶された前記接続状態に関する情報に基づいて、前記端末装置が前記通信装置と前記第１接続情報によって接続する前の接続状態に、前記端末装置の接続状態を遷移させる遷移手段と、を更に実行させることを特徴とする請求項１乃至請求項７のいずれか１項に記載のプログラム。
【請求項９】
前記画像データを通信し、且つ前記画像データに基づく処理が前記通信装置によって完了された場合、前記記憶された前記接続状態に関する情報に基づいて、前記端末装置が前記通信装置と前記第１接続情報によって接続する前の接続状態に、前記通信装置の接続状態を遷移させることを特徴とする請求項８に記載のプログラム。
【請求項１０】
前記画像データの通信として、前記画像データを含み、且つ前記通信装置に前記画像データに基づいた印刷を実行させるための印刷ジョブを前記通信装置に送信することを特徴とする請求項１乃至請求項９のいずれか１項に記載のプログラム。
【請求項１１】
前記通信装置にスキャンを実行させるためのスキャンジョブを前記通信装置に送信する送信ステップを更に実行させ、
前記画像データの通信として、前記通信装置によってスキャンが実行されることにより生成された前記画像データを前記通信装置から受信することを特徴とする請求項１乃至請求項１０のいずれか１項に記載のプログラム。
【請求項１２】
前記通信装置に対しユーザによる所定の操作が行われた場合、前記通信装置は、前記第１接続情報による接続が可能な状態となり、
前記通信装置が、前記第１接続情報による接続が可能な状態である場合に、前記保持されている前記第１接続情報によって、前記端末装置と前記通信装置とが接続されることを特徴とする請求項１乃至１１のいずれか１項に記載のプログラム。
【請求項１３】
前記通信装置との前記画像データの通信が完了した場合、前記端末装置と前記通信装置との接続が切断され、
前記通信装置との前記画像データの通信が完了した場合、前記通信装置において、前記第１接続情報による接続が可能な状態が解除されることを特徴とする請求項１２に記載のプログラム。
【請求項１４】
前記通信装置との前記画像データの通信では、前記通信装置に対する前記画像データの送信が行われ、
前記通信装置に送信される前記画像データに基づいた印刷を実行する印刷処理が前記通信装置によって完了した場合、前記端末装置と前記通信装置との接続が切断され、
前記印刷処理が前記通信装置によって完了した場合、前記通信装置において、前記第１接続情報による接続が可能な状態を解除されることを特徴とする請求項１２に記載のプログラム。
【請求項１５】
前記第１接続情報による接続が可能な状態となった後、一定時間、前記第１接続情報によって前記端末装置と前記通信装置とが接続されることがなかった場合、前記第１接続情報による接続が可能な状態を解除されることを特徴とする請求項１２乃至１４のいずれか１項に記載のプログラム。
【請求項１６】
前記ユーザから前記画像データの通信指示を受け付ける受け付けステップをさらに実行させ、
前記通信指示が受け付けられた後、前記ユーザから前記端末装置に対する操作が受け付けられることなく、前記通信装置との前記画像データの通信が実行されることを特徴とする請求項１乃至請求項１５のいずれか１項に記載のプログラム。
【請求項１７】
前記第１接続情報によって確立される接続に用いられる通信方式と、前記第２接続情報によって確立される接続に用いられる通信方式は同一であることを特徴とする請求項１乃至請求項１６のいずれか１項に記載のプログラム。
【請求項１８】
前記第１接続情報によって確立される接続に用いられる通信方式は、Ｗｉ−Ｆｉでることを特徴とする請求項１乃至請求項１７のいずれか１項に記載のプログラム。
【請求項１９】
ユーザによる第１接続情報の入力のための操作を受け付けることなく、且つ通信装置から前記第１接続情報を取得することなしに前記第１接続情報を保持し、通信装置と通信可能な端末装置の制御方法であって、前記第１接続情報によって、前記端末装置と前記通信装置とを接続させる第１接続ステップと、
前記端末装置と前記通信装置との前記第１接続情報による接続を介して、前記第１接続情報と異なる第２接続情報を前記通信装置から取得する取得ステップと、
前記通信装置が、前記端末装置から送信される前記第２接続情報による接続が可能な状態の場合、前記第２接続情報によって、前記端末装置と前記通信装置とを接続させる第２接続ステップと、
前記端末装置と前記通信装置との前記第２接続情報による接続を介して、画像データを前記通信装置と通信する通信ステップと、を有し、
前記第１接続情報は、前記ユーザが任意に変更できない情報を少なくとも含み、
前記第１接続情報による接続を介して取得される前記第２接続情報は、前記端末装置と前記通信装置との間の１度の接続にしか用いることができない情報であることを特徴とする制御方法。
【請求項２０】
ユーザによる第１接続情報の入力のための操作を受け付けることなく、且つ通信装置から前記第１接続情報を取得することなしに前記第１接続情報を保持し、通信装置と通信可能な端末装置であって前記第１接続情報によって、前記端末装置と前記通信装置とを接続させる第１接続手段と、
前記端末装置と前記通信装置との前記第１接続情報による接続を介して、前記第１接続情報と異なる第２接続情報を前記通信装置から取得する取得手段と、
前記通信装置が、前記端末装置から送信される前記第２接続情報による接続が可能な状態の場合、前記取得された前記第２接続情報によって、前記端末装置と前記通信装置とを接続させる第２接続手段と、
前記端末装置と前記通信装置との前記第２接続情報による接続を介して、画像データを前記通信装置と通信する通信手段と、を有し、
前記第１接続情報は、前記ユーザが任意に変更できない情報を少なくとも含み、
前記第１接続情報による接続を介して取得される前記第２接続情報は、前記端末装置と前記通信装置との間の１度の接続にしか用いることができない情報であることを特徴とする端末装置。
【請求項２１】
ユーザによる第１接続情報の入力のための操作を受け付けることなく、且つ通信装置から前記第１接続情報を取得することなしに前記第１接続情報を保持する端末装置と通信可能な通信装置であって、
前記端末装置から送信される前記第１接続情報による接続が可能な第１の状態に前記通信装置を遷移させる第１遷移手段と、
前記第１接続情報と異なる第２接続情報を生成する生成手段と、
前記通信装置と前記端末装置との前記第１接続情報による接続を介して、前記生成手段により生成された前記第２接続情報を前記端末装置に送信する送信手段と、
前記端末装置から送信される前記第２接続情報による接続が可能な第２の状態に前記通信装置を遷移させる第２遷移手段と、
前記通信装置と前記端末装置との前記第２接続情報による接続を介して前記端末装置とデータを通信する通信手段と、を有し、
前記送信手段により前回送信された前記第２接続情報と異なる内容の情報が、前記第２接続情報として前記生成手段により新たに生成され、
前記第１接続情報は、前記ユーザが任意に変更できない情報を少なくとも含み、
前記第１接続情報による接続を介して取得される前記第２接続情報は、前記端末装置と前記通信装置との間の１度の接続にしか用いることができない情報であることを特徴とする通信装置。
【請求項２２】
前記生成手段は、前記第２接続情報を、ランダムに生成することを特徴とする請求項２１に記載の通信装置。
【請求項２３】
前記生成手段は、前記第２接続情報を、時刻同期方式に基づいて、ランダムに生成することを特徴とする請求項２２に記載の通信装置。
【請求項２４】
前記通信装置が前記第１接続情報によって接続している前記端末装置が、前記第１遷移手段が前記第１の状態に前記通信装置を遷移させてから一番初めに受け付けられた前記通信装置への接続要求に対応する前記端末装置であるか否かを判定する判定手段を更に有し、
前記送信手段は、前記第１遷移手段が前記第１の状態に前記通信装置を遷移させてから一番初めに受け付けられた前記通信装置への接続要求に対応する前記端末装置であると前記判定手段が判定した前記端末装置に対して、前記第２接続情報を送信することを特徴とする請求項２１乃至請求項２３のいずれか１項に記載の通信装置。
【請求項２５】
前記通信手段により受信された前記データに基づいて、記録剤によって記録媒体上に画像を形成する画像形成処理を実行する処理手段を有することを特徴とする請求項２１乃至請求項２４のいずれか１項に記載の通信装置。
【請求項２６】
前記処理手段は、前記第１接続情報によって接続している前記端末装置から送信される前記データに基づく前記画像形成処理を実行しないことを特徴とする請求項２５に記載の通信装置。
【請求項２７】
前記第１接続情報は、前記端末装置の初期起動前から、前記端末装置に保持されていることを特徴とする請求項２１乃至２６のいずれか１項に記載の通信装置。
【請求項２８】
前記第１接続情報は、所定のプログラムが前記端末装置にインストールされた場合に、前記端末装置に保持されることを特徴とする請求項２１乃至２７のいずれか１項に記載の通信装置。
【請求項２９】
前記第１接続情報は、前記第１の状態の通信装置のＳＳＩＤと前記第１の状態の通信装置と接続するためのパスワードのうち少なくとも１つを含み、
前記第２接続情報は、前記第２の状態の通信装置のＳＳＩＤと前記第２の状態の通信装置と接続するためのパスワードのうち少なくとも１つを含むことを特徴とする請求項２１乃至請求項２８のいずれか１項に記載の通信装置。
【請求項３０】
前記第１遷移手段が前記通信装置の状態を前記第１の状態に遷移させる前の前記通信装置の接続状態に関する情報をメモリに記憶させる記憶制御手段と、
前記通信手段が前記データを通信した場合、前記記憶制御手段により記憶された前記接続状態に関する情報に基づいて、前記第１遷移手段が前記通信装置の状態を前記第１の状態に遷移させる前の接続状態に、前記通信装置の接続状態を遷移させる第３遷移手段と、を更に有することを特徴とする請求項２１乃至請求項２９のいずれか１項に記載の通信装置。
【請求項３１】
前記第３遷移手段は、前記通信手段が前記データを通信し、且つ前記データに基づく処理が前記通信装置によって完了された場合、前記記憶制御手段により記憶された前記接続状態に関する情報に基づいて、前記第１遷移手段が前記通信装置の状態を前記第１の状態に遷移させる前の接続状態に、前記通信装置の接続状態を遷移させることを特徴とする請求項３０に記載の通信装置。
【請求項３２】
前記第１遷移手段が前記通信装置の状態を前記第１の状態に遷移させる前の前記通信装置の接続状態に関する情報をメモリに記憶させる記憶制御手段と、
前記第１遷移手段が、前記通信装置の状態を前記第１の状態に遷移させた後、前記通信装置と前記端末装置が所定の時間以上の時間、接続しなかった場合、前記記憶制御手段により記憶された前記接続状態に関する情報に基づいて、前記第１遷移手段が前記通信装置の状態を前記第１の状態に遷移させる前の接続状態に、前記通信装置の接続状態を遷移させる第４遷移手段と、を更に有することを特徴とする請求項２１乃至請求項３１のいずれか１項に記載の通信装置。
【請求項３３】
前記通信手段は、画像データを含み、且つ前記画像データに基づいた印刷を実行するための印刷ジョブを前記端末装置から受信することを特徴とする請求項２１乃至請求項３２のいずれか１項に記載の通信装置。
【請求項３４】
前記通信手段は、スキャンを実行するためのスキャンジョブを前記端末装置から受信し、前記通信装置によってスキャンが実行されることにより生成された画像データを前記端末装置に送信することを特徴とする請求項２１乃至請求項３３のいずれか１項に記載の通信装置。
【請求項３５】
前記通信手段は、前記通信装置が備えるメモリに保存する画像データを前記端末装置から受信することを特徴とする請求項２１乃至請求項３４のいずれか１項に記載の通信装置。
【請求項３６】
前記第１遷移手段は、前記通信装置に対しユーザによる所定の操作が行われた場合、前記第１の状態に前記通信装置を遷移させることを特徴とする請求項２１乃至請求項３５のいずれか１項に記載の通信装置。
【請求項３７】
前記第１遷移手段は、前記通信装置が前記第２の状態に遷移した場合、前記第１の状態を解除することを特徴とする請求項２１乃至請求項３６のいずれか１項に記載の通信装置。
【手続補正２】
【補正対象書類名】明細書
【補正対象項目名】０００６
【補正方法】変更
【補正の内容】
【０００６】
そこで上記目的を達成するために本発明のプログラムは、
ユーザによる第１接続情報の入力のための操作を受け付けることなく、且つ通信装置から前記第１接続情報を取得することなしに前記第１接続情報を保持し、通信装置と通信可能な端末装置のコンピュータに、前記第１接続情報によって、前記端末装置と前記通信装置とを接続させる第１接続ステップと、
前記端末装置と前記通信装置との前記第１接続情報による接続を介して、前記第１接続情報と異なる第２接続情報を前記通信装置から取得する取得ステップと、
前記通信装置が、前記端末装置から送信される前記第２接続情報による接続が可能な状態の場合、前記取得された前記第２接続情報によって、前記端末装置と前記通信装置とを接続させる第２接続ステップと、
前記端末装置と前記通信装置との前記第２接続情報による接続を介して、前記画像データを前記通信装置と通信する通信ステップと、を実行させ、
前記第１接続情報は、前記ユーザが任意に変更できない情報を少なくとも含み、
前記第１接続情報による接続を介して取得される前記第２接続情報は、前記端末装置と前記通信装置との間の１度の接続にしか用いることができない情報であることを特徴とする。